(57)【要約】【課題】複数の入出力端子を備える映像表示機器や映像記録装置等を複数個接続する場合に、各機器の入出力端子の接続状態が一目で確認することのできる装置接続図表示システムを提供する。【解決手段】入力端子２、出力端子２には、信号入出力部２、１２又はシリアルインターフェイス３、１３を切り換え接続するための信号切り換えスイッチ１、１１を接続し、装置接続図表示モードが設定されると、制御部５は、この信号切り換えスイッチ１をシリアルインターフェイス側に設定する。各機器の制御部５、１５においては、このモードにおいて他機との通信によって自機の入出力端子と他機の入出力端子との接続状態を調べて接続状態記憶部６、１６に記憶する。特定の機器である機器番号０００の表示装置では、各機器に記憶されている前記接続状態を取得し、これを表示部６に表示する。【選択図】  図２
2005354433.tif 000002
【特許請求の範囲】
【請求項１】
映像又は音声信号の入力端子または出力端子に接続され、この入力端子または出力端子を信号処理部またはシリアルインターフェイス部に切り換え接続する信号切り換え部と、
装置接続図表示モードが設定されたときに、前記シリアルインターフェイス部を介して、自機の各出力端子に接続されている他機の入力端子に対して、自機の識別符号と出力端子識別符号とを含む自機の情報を出力するとともに、自機の各入力端子に接続されている他機の出力端子から出力されてくる前記情報を取得し、前記情報に基づいて自機の入出力端子と他機の入出力端子との接続状態を調べる制御部と、
前記接続状態を記憶する接続状態記憶部と、を備え、
特定の機器の前記制御部は、さらに、他機の前記接続状態記憶部に記憶されている前記接続状態を前記シリアルインターフェイス部を介して取得し、この取得した接続状態を表示する表示部を備えることを特徴とする装置接続図表示システム。
【請求項２】
映像又は音声信号の入力端子または出力端子に接続され、この入力端子または出力端子を信号処理部またはシリアルインターフェイス部に切り換え接続する信号切り換え部と、
装置接続図表示モードが設定されたときに、前記シリアルインターフェイス部による他機との通信により自機の入出力端子と他機の入出力端子との接続状態を調べる制御部と、
前記接続状態を記憶する接続状態記憶部と、を備え、
特定の機器の前記制御部は、さらに、他機の前記接続状態記憶部に記憶されている前記接続状態を前記シリアルインターフェイス部を介して取得し、この取得した接続状態を表示する表示部を備えることを特徴とする装置接続図表示システム。
【請求項３】
前記制御部は、自機の各出力端子に接続されている他機の入力端子に対して、自機の識別符号と出力端子識別符号とを含む自機の情報を出力する手段と、自機の各入力端子に接続されている他機の出力端子から出力されてくる前記情報を取得して、この情報に基づいて前記接続状態を調べるようにした請求項２記載の装置接続図表示システム。
【請求項４】
前記制御部は、自機の入出力端子と、これに接続されている他機の入出力端子とを介して、前記他機の前記接続状態を調べるリクエストコマンドを出力する手段と、 前記リクエストコマンドを受信すると自機の前記接続状態を調べる手段と、を備える請求項２記載の装置接続図表示システム。
【発明の詳細な説明】
【技術分野】
【０００１】
本発明は、映像表示機器や映像記録装置等、映像又は音声信号の入出力端子を備える複数の機器が接続されるシステムにおいて、各機器の装置の接続図を簡単に表示することのできる装置接続図表示システムに関する。
【背景技術】
【０００２】
映像表示機器や映像記録装置等においては、通常は複数の入力端子及び出力端子を備えており、又、これらの機器が複数個従属または並列に接続されることがある。複数の機器が並列又は従属に接続されると、各機器は複数の入出力端子を備えていることもあり、ユーザは、どの機器の入力端子がどの機器の主力端子に接続され、又はどの機器の出力端子がどの機器の入力端子に接続されているかをすぐに把握することができず、接続されている機器の数が多くなればなるほどこの傾向が顕著となってくる。このため、接続状態が正しいものでなかったり、あるいは、後に新たな機器を追加したり、ある機器を取り外したりする時に、各機器の入出側端子接続状態が直ちに把握できないために、その接続作業に困難をもたらすことが多かった。
【０００３】
そこで、特許文献１等では、バスに接続される機器の接続図を解析して表示するようにしている。この装置では、１つのＩＥＥＥ１３９４バスに接続されている複数の機器の接続図を表示するようにしている。
【特許文献１】特開２００３−３７５９８号公報
【発明の開示】
【発明が解決しようとする課題】
【０００４】
ところが、上記特許文献１に示される装置では、各機器の情報を電送するためのデータ通信ライン（バス）を利用しているため、そのようなラインを具備していない映像表示機器や映像記録装置においては、接続されている各機器の入出力端子情報を把握することが出来なかった。
【０００５】
そこで、本発明の目的は、上記のような複数の入出力端子を備える映像表示機器や映像記録装置等を複数個接続する場合に、各機器の入出力端子の接続状態が一目で確認することのできる装置接続図表示システムを提供することにある。
【課題を解決するための手段】
【０００６】
本発明は映像又は音声信号の入力端子または出力端子に接続され、この入力端子または出力端子を信号処理部またはシリアルインターフェイス部に切り換え接続する信号切り換え部と、
装置接続図表示モードが設定されたときに、前記シリアルインターフェイス部を介して、自機の各出力端子に接続されている他機の入力端子に対して、自機の識別符号と出力端子識別符号とを含む自機の情報を出力するとともに、自機の各入力端子に接続されている他機の出力端子から出力されてくる前記情報を取得し、前記情報に基づいて自機の入出力端子と他機の入出力端子との接続状態を調べる制御部と、
前記接続状態を記憶する接続状態記憶部と、を備え、
特定の機器の前記制御部は、さらに、他機の前記接続状態記憶部に記憶されている前記接続状態を前記シリアルインターフェイス部を介して取得し、この取得した接続状態を表示する表示部を備えることを特徴とする。
【０００７】
本発明においては、装置接続図表示モードが設定された時に、信号切り換え部によって、入力端子及び出力端子をシリアルインターフェイス部に切り換え接続し、各機器を接続する映像又は音声信号用の信号ラインを通信ラインとし、さらに、この通信ラインを利用することで各機器の識別符号と出力端子識別符号とを含む情報を交換し、表示部において、各機器の接続状態を表示するようにしている。これにより、各機器間を特別のシリアルインターフェイスで接続する必要がなく、従来の信号ラインをそのまま利用することができ、また、途中で新たな機器を追加した場合や既存の機器を取り外した場合でも、即座に正しい接続状態を表示させることができる。
【０００８】
これにより、誤った接続をなくすことができ、又、新たにラインを接続したりラインを外したりする作業が極めて効率的となる。
【０００９】
本発明の好ましい実施対応によれば、上記装置接続図表示モードが各機器において設定されると、各機器は自動的に他機に対して自機の情報を出力し、自機においては、他機から送られてくる情報を取得し、この情報に基づいて接続状態を調べる。これにより、接続されている全ての機器が、自らの状態を自動的に調べることになるため、複数の機器が芋ずる式に接続されている場合であっても、各機器の接続状態が非常に容易に把握できるようになる。
【発明の効果】
【００１０】
本発明によれば、多数の機器が接続されている状態であっても、各機器の入出力端子の接続状態が短時間に且つ正確に表示部に表示させることができるため、新たな機器を追加したり既存の機器を取り外したりする場合でも、ラインの新規接続やラインの取り外しに誤りを生じることがなく、且つその作業も非常に効率的に短時間に行うことができるようになる。
【発明を実施するための最良の形態】
【００１１】
図１は、本発明の実施形態である装置接続図表示システムを採用した複数の機器の接続例を示している。
【００１２】
この例では、０００〜００３の合計４個の機器が接続されている。機器番号０００は、後述の接続状態を表示する表示部を備える表示装置であり、この例では、合計３つの入力端子を備えている。機器番号００２は上記機器番号０００に接続され、出力端子２は機器番号０００の入力端子２に信号ケーブル（ライン）で接続されている。機器番号００２の入出力端子には、機器番号００１の入出力端子が接続されている。又、機器番号０００には機器番号００３（この例では受信機）が接続され、機器番号００２には機器番号００３が接続されている。上記各信号ケーブルは、通常の状態では映像信号又は音声信号を導き、後述の装置接続図表示モードが設定されると、シリアルデータ通信ラインに切り換えられる。
【００１３】
図２は、図１のシステムにおいて、機器番号０００と機器番号００２の要部構成図を示している。
【００１４】
同図において、機器番号０００では、入力端子２に信号切り換えスイッチ１が接続され、さらに、この信号切り換えスイッチ１には信号入出力部２とシリアルインターフェイス３とが接続されている。信号入出力部２には信号処理部４が接続され、信号入出力部２とシリアルインターフェイス３には制御部５が接続されている。さらにこの制御部５には表示部６が接続されている。
【００１５】
機器番号００２では、出力端子２に信号切り換えスイッチ１１が接続され、さらに、この信号切り換えスイッチ１１には信号入出力部１２とシリアルインターフェイス１３とが接続されている。信号入出力部１２には信号処理部１４が接続され、信号入出力部１２とシリアルインターフェイス１３とには制御部１５が接続されている。なお、シリアルインターフェイスとしては、例えば、ＲＳ２３２Ｃインターフェイスを使用することが出来る。
【００１６】
機器番号０００及び００２、更に機器番号００１及び００３においても、各入出力端子付近では図２に示すような構成になっている。
【００１７】
上記図２において、通常モードの時には、信号切り換えスイッチ１は入力端子２を信号入出力部２接続し、出力端子２は信号入出力部１２に接続している。したがって、この通常モードでは、機器番号０００と機器番号００２との間では信号ライン２０には音声信号又は映像信号が流れている。
【００１８】
ユーザの操作によって、上記通常モードから装置接続図表示モードに切り換えられると、制御部５は、上記信号切り換えスイッチ１を切り換えて、機器番号０００では入力端子２をシリアルインターフェイス３に接続し、機器番号００２では、信号切り換えスイッチ１１をシリアルインターフェイス１３に切り換える。これにより、信号ライン２０はシリアル通信ラインとなり、制御部５と制御部１５との間で情報のやりとりが行われる。
【００１９】
上記の装置接続図表示モードに切り換えられると、各機器においては、制御部が、自機の入出力端子と他機の入出力端子との接続状態を調べ、この調べた結果をそれぞれ、接続状態記憶部６、１６に記憶する。
【００２０】
具体的には、各機器の制御部は、自機の各出力端子に接続されている他機の入力端子に対して、自機の識別符号と出力端子識別符号とを含む自機の情報を出力する。又、自機の各入力端子に接続されている他機の出力端子から出力されてくる前記情報を取得し、この情報に基づいて自機を中心とした接続状態を取得し、これをまとめて接続状態記憶部に記憶する。
【００２１】
各機器において上記の処理を非同期に行い、それとともに、又はその動作が終了したタイミングを見計らって、表示装置である機器番号０００の制御部５において、他機の接続状態記憶部に記憶されている接続状態をシリアルインターフェイス３を介して取得し、この取得した接続状態を表示部６にグラフィックに表示する。
【００２２】
なお、この場合、機器番号００２に接続されている機器番号００１の接続状態については、機器番号０００の表示装置は、機器番号００２を介して取得することになる。
【００２３】
以上のようにして、各機器番号から取得した接続状態については、図１に示す接続例の場合、図３のようになる。そして、この図３に示す接続状態を、グラフィック図にして表示部６に表示した状態は、図１に示したものとなる。
【００２４】
ユーザは、図１に示す接続状態を見ることにより、どの機器のどの入出力端子がどのように接続されているかを直ちに知ることができる。
【００２５】
次に、各機器の動作について図４以下を参照して説明する。
【００２６】
図４は、各機器において装置接続図表示モードが設定された時に、自機の情報を出力する動作を示している。
【００２７】
ステップＳＴ１において、初期値Ｎを１に設定し（このＮは出力端子の番号を示している。）、ＳＴ２で全ての処理が終了するまでＳＴ３以下を実行する。
【００２８】
ＳＴ３においては、Ｎ番目の出力端子の通信が可能かどうかの判定を行う。この判定は、Ｎ番目の出力端子に接続されている他機の入力端子が情報を取得できる状態かどうかを判定する。すなわち、通信の開始コマンドを送信して相手側よりＡＣＫを受けると、Ｎ番目の出力端子が通信可能であると判断し、そうでない場合は、ＳＴ４でタイムアウトするまで、上記ＳＴ３の判定を繰り返して行う。タイムアウトするまでの一定期間内にＮ番目の出力端子が通信可であることを判定すると、ＳＴ５に進み、その出力端子の情報を出力する。すなわち機器番号と出力端子番号を少なくとも含む情報をそのＮ番目の出力端子に接続されている他機に対して出力する。
【００２９】
続いて、ＳＴ６においてＮを１つ進め、ＳＴ７でＮが最大値になるまで上記の動作を繰り返していく。Ｎが最大値になれば再びＳＴ１に戻って最初から繰り返す。したがって、ＳＴ２において終了状態になるまで上記の動作が繰り返して行われることになる。なお、ＳＴ２で終了と判断されるタイミングは、モードが装置接続図表示モードから他のモードに切り換えられた時や、上記の動作を終了する時である。
【００３０】
図５は、上記図４において出力端子側から出力される情報を入力端子側で受ける時の動作を示すフローチャートである。
【００３１】
最初に、ＳＴ１０においてＭを初期値１に設定する。このＭは入力端子の番号を示している。
【００３２】
ＳＴ１１で終了するまで、ＳＴ１２以下を繰り返す。ＳＴ１２では、Ｍ番目の入力端子が通信可であるかどうかを判断する。この判断は、Ｍ番目の入力端子に接続されている他機の出力端子との間で通信が可能であるかどうかの判断、すなわち、他機の出力端子から通信開始コマンドを受けており、且つ自機においてそのコマンドに対応する応答が可能であるかどうかの判断である。もし通信可であると判断された場合には、ＡＣＫを返した後にＳＴ１３に進んで、そのＭ番目の入力端子に接続されている他機の出力端子から送られてくる出力端子情報（図４のＳＴ５で出力される情報）を取得する。以下、ＳＴ１４においてＭを１つ進め、さらにＳＴ１５においてＭが最大値でなければＳＴ１１に戻り、最大値を超えた場合にはＳＴ１０に戻って最初から再び繰り返す。そして、装置接続図表示モードが終了した場合、又はその他の理由によって終了した時には、ＳＴ１６に進み、上記ＳＴ１３で取得した入出力端子情報に基づく自機の接続状態のテーブルを作成して（ＳＴ１６）、接続状態記憶部に記憶する。そして、ＳＴ１７に進んでフラグを１に設定してリターンする。
【００３３】
上記図４及び図５の制御部の動作により、各機器の接続状態記憶部には、当該機器の入出力端子が他機に接続されている状態がテーブル形式で記憶されることになる。
【００３４】
次に、機器番号０００の表示装置においては、上記各機器に記憶されたテーブル形式の接続状態を取得する動作を行う。図６が、この動作を示すフローチャートである。
【００３５】
ＳＴ２０においてＪを初期値１に設定する。このＪは各機器番号を示している。ＳＴ２１において、機器番号Ｊのフラグが１のときに、ＳＴ２２で終了するまで、ＳＴ２３以下を繰り返す。すなわち、全ての機器のテーブルをシリアルインターフェイス３を介して取得し、図３に示すようなテーブルを作成する。ＳＴ２２において、全ての機器からテーブルを取得することを終了すると、ＳＴ２６に進み、得られたテーブルに基づいてグラフイックの接続図を作成し表示部６に表示する。この表示は、たとえば図１に示すようなものとなる。
【００３６】
次に、本発明の他の実施形態について説明する。
【００３７】
上記の実施形態では、各機器において図４及び図５の処理を個別に非同期に行っているが、本実施形態では、機器番号０００の表示装置から、各機器に対してリクエストを送信し、各機器ではこのリクエストに応じて接続状態を調べて各入出力端子のステータス（接続状態）を返し、機器番号０００の表示装置において、このステータスを取得してグラフイックの接続図を作成する。
【００３８】
すなわち、図７のＳＴ３１において、表示装置からは各機器に対してリクエストが送信され（ＳＴ３１０）、そのリクエストに応じたステータスを取得する（ＳＴ３１１）。このリクエストでは、機器番号Ｊに対して行うようにし、ステータスを取得することにその機器番号Ｊを１つづ増やしていく。ＳＴ３１１でのステータスは、各機器において自己診断プログラム等を使用することによって独自に行う。
【００３９】
ＳＴ３２において全機器のステータスを取得すると、ＳＴ３３で図１に示すようなグラフイックの接続図を作成して表示部６に表示する。
【図面の簡単な説明】
【００４０】
【図１】本発明の実施形態である装置接続図表示システムを採用した複数の機器の接続状態を示す図
【図２】上記図１の要部の構成図
【図３】全機器の接続状態を示す図
【図４】各機器において自機の情報を出力する時の動作を示すフローチャート
【図５】各機器において他機から出力されてくる情報を取得してテーブルを作成する時の動作を示すフローチャート
【図６】特定の機器において接続図を作成して表示する時の動作を示すフローチャート
【図７】本発明の他の実施形態の動作を示すフローチャート
【図１】
2005354433.tif 000003
【図２】
2005354433.tif 000004
【図３】
2005354433.tif 000005
【図４】
2005354433.tif 000006
【図５】
2005354433.tif 000007
【図６】
2005354433.tif 000008
【図７】
2005354433.tif 000009